(57)【要約】【課題】従来に比して、対応するファイル特定情報の作業空間上における位置によってグループに分類されているファイルをグループ間移動させる際の操作性の向上を図る。【解決手段】操作検出部１１によりファイルのアイコンの移動操作が検出された場合、その移動操作方向、また必要に応じて移動速度や移動距離を参照して当該ファイルの移動先となるグループを特定する移動先特定部１２と、特定された移動先のグループを操作パネルにオーバーラップ表示し、ドロップ操作により移動先のグループを含む領域で操作パネルの表示を更新する表示制御部１３と、ドロップ操作に応じてワークスペース上におけるファイルのアイコンの位置を確定し、当該ファイルの位置情報を更新するファイル管理部１４と、を有する。【選択図】図１
2015087976.tif 000002
【特許請求の範囲】
【請求項１】
ファイルに対する作業空間におけるファイルを特定するファイル特定情報の位置に応じてファイルが複数のグループに分類されている場合、作業空間に対して表示範囲が相対的に小さい画面に表示された前記作業空間内のファイル特定情報に対するユーザによる操作が当該ファイル特定情報を移動させる操作であった場合、当該ファイル特定情報に対する移動操作方向に応じて当該ファイル特定情報に対応するファイルの移動先とするグループを特定する特定手段と、
所定の移動確定操作に応じて、当該ファイル特定情報に対応するファイルを前記特定手段により特定されたグループに移動する移動手段と、
を有することを特徴とするファイル管理装置。
【請求項２】
前記特定手段は、当該ファイル特定情報に対する移動操作方向に移動先の候補となるグループが複数存在する場合、移動操作の強さに応じて移動先となるグループを特定することを特徴とする請求項１に記載のファイル管理装置。
【請求項３】
ユーザによる当該ファイル特定情報に対する移動操作後、前記所定の移動確定操作前に、前記特定手段により特定されたグループに属するファイルに対応するファイル特定情報を前記画面に表示するよう表示制御を行う表示制御手段を有することを特徴とする請求項１に記載のファイル管理装置。
【請求項４】
前記表示制御手段は、前記特定手段により特定されたグループに属するファイルに対応するファイル特定情報を前記画面に表示させた後、所定の移動中止操作に応じて前記画面の表示を元に戻すことを特徴とする請求項１に記載のファイル管理装置。
【請求項５】
前記特定手段は、ファイルが階層化された複数のグループに分類されている場合、移動操作の程度に応じて移動先が上位層のグループか下位層のグループかを特定することを特徴とする請求項１に記載のファイル管理装置。
【請求項６】
コンピュータを、
ファイルに対する作業空間におけるファイルを特定するファイル特定情報の位置に応じてファイルが複数のグループに分類されている場合、作業空間に対して表示範囲が相対的に小さい画面に表示された前記作業空間内のファイル特定情報に対するユーザによる操作が当該ファイル特定情報を移動させる操作であった場合、当該ファイル特定情報に対する移動操作方向に応じて当該ファイル特定情報に対応するファイルの移動先とするグループを特定する特定手段、
所定の移動確定操作に応じて、当該ファイル特定情報に対応するファイルを前記特定手段により特定されたグループに移動する移動手段、
として機能させるためのプログラム。
【発明の詳細な説明】
【技術分野】
【０００１】
本発明は、ファイル管理装置及びプログラムに関する。
【背景技術】
【０００２】
ワークスペースを持つファイル管理装置においてファイルを管理する際、ユーザは、ファイルを意味毎、例えば仕様書なら仕様書という属性毎、あるいはプロジェクト毎にまとめてワークスペース上に配置することで、位置と意味とを対応付けてグループを形成している。このようなファイルの管理状況においてファイルを移動させる場合、移動対象のファイルのアイコンにドラッグ＆ドロップ操作を行うことによって当該ファイルを他のグループに移動させる。移動先のグループが画面上に表示されていない場合、ドラッグした状態のまま移動先のグループが存在する方向の画面の端までアイコンを移動させワークスペースをスクロールし、移動先のグループを画面表示させてからドロップする。
【先行技術文献】
【特許文献】
【０００３】
【特許文献１】特開２０１０−２０５１５５号公報
【特許文献２】特開２０１３−３５９７号公報
【特許文献３】特開２０１２−３２９４５号公報
【発明の概要】
【発明が解決しようとする課題】
【０００４】
本発明は、従来に比して、対応するファイル特定情報の作業空間上における位置によってグループに分類されているファイルをグループ間移動させる際の操作性の向上を図ることを目的とする。
【課題を解決するための手段】
【０００５】
本発明に係るファイル管理装置は、ファイルに対する作業空間におけるファイルを特定するファイル特定情報の位置に応じてファイルが複数のグループに分類されている場合、作業空間に対して表示範囲が相対的に小さい画面に表示された前記作業空間内のファイル特定情報に対するユーザによる操作が当該ファイル特定情報を移動させる操作であった場合、当該ファイル特定情報に対する移動操作方向に応じて当該ファイル特定情報に対応するファイルの移動先とするグループを特定する特定手段と、所定の移動確定操作に応じて、当該ファイル特定情報に対応するファイルを前記特定手段により特定されたグループに移動する移動手段と、を有することを特徴とする。
【０００６】
また、前記特定手段は、当該ファイル特定情報に対する移動操作方向に移動先の候補となるグループが複数存在する場合、移動操作の強さに応じて移動先となるグループを特定することを特徴とする。
【０００７】
また、ユーザによる当該ファイル特定情報に対する移動操作後、前記所定の移動確定操作前に、前記特定手段により特定されたグループに属するファイルに対応するファイル特定情報を前記画面に表示するよう表示制御を行う表示制御手段を有することを特徴とする。
【０００８】
また、前記表示制御手段は、前記特定手段により特定されたグループに属するファイルに対応するファイル特定情報を前記画面に表示させた後、所定の移動中止操作に応じて前記画面の表示を元に戻すことを特徴とする。
【０００９】
また、前記特定手段は、ファイルが階層化された複数のグループに分類されている場合、移動操作の程度に応じて移動先が上位層のグループか下位層のグループかを特定することを特徴とする。
【００１０】
本発明に係るプログラムは、コンピュータを、ファイルに対する作業空間におけるファイルを特定するファイル特定情報の位置に応じてファイルが複数のグループに分類されている場合、作業空間に対して表示範囲が相対的に小さい画面に表示された前記作業空間内のファイル特定情報に対するユーザによる操作が当該ファイル特定情報を移動させる操作であった場合、当該ファイル特定情報に対する移動操作方向に応じて当該ファイル特定情報に対応するファイルの移動先とするグループを特定する特定手段、所定の移動確定操作に応じて、当該ファイル特定情報に対応するファイルを前記特定手段により特定されたグループに移動する移動手段、として機能させるためのものである。
【発明の効果】
【００１１】
請求項１に記載の発明によれば、従来に比して、対応するファイル特定情報の作業空間上における位置によってグループに分類されているファイルをグループ間移動させる際の操作性の向上を図ることができる。
【００１２】
請求項２に記載の発明によれば、ファイル特定情報に対する移動操作方向に移動先の候補となるグループが複数存在する場合でも、移動操作の強さに応じて単一のグループを移動先として特定することができる。
【００１３】
請求項３に記載の発明によれば、特定手段により特定されたグループを視認することができる。
【００１４】
請求項４に記載の発明によれば、ユーザによる移動操作を中止させることができる。
【００１５】
請求項５に記載の発明によれば、ファイルが階層化された複数のグループに分類されている場合でも、移動操作の程度に応じて単一のグループを移動先として特定することができる。
【００１６】
請求項６に記載の発明によれば、従来に比して、対応するファイル特定情報の作業空間上における位置によってグループに分類されているファイルをグループ間移動させる際の操作性の向上を図ることができる。
【図面の簡単な説明】
【００１７】
【図１】本発明に係るファイル管理装置の一実施の形態である携帯端末を示したブロック構成図である。
【図２】実施の形態１における携帯端末とワークスペースとの関係を示す概念図である。
【図３】実施の形態１における携帯端末を形成するコンピュータのハードウェア構成図である。
【図４】実施の形態１におけるファイル管理情報記憶部に記憶されるファイル管理情報のデータ構成例を示す図である。
【図５】実施の形態１におけるグループ管理情報記憶部に記憶されるグループ管理情報のデータ構成例を示す図である。
【図６】図２に示した携帯端末において、ユーザによるアイコンの移動操作方向を示す図である。
【図７】実施の形態１におけるファイルの移動処理を示すフローチャートである。
【図８】実施の形態２においてファイルを格納する階層化されたグループの関係を示す図である。
【図９】実施の形態２においてユーザによるアイコンの移動操作方向とグループとの位置関係を示す図である。
【発明を実施するための形態】
【００１８】
以下、図面に基づいて、本発明の好適な実施の形態について説明する。
【００１９】
実施の形態１．
図１は、本発明に係るファイル管理装置の一実施の形態である携帯端末１０を示したブロック構成図である。図２は、本実施の形態における携帯端末１０とワークスペース２０との関係を示す概念図である。
【００２０】
本実施の形態における携帯端末１０は、ファイルを、ファイルに対する作業空間であるワークスペース２０を用いて管理する。ファイルを特定するファイル特定情報としてアイコンがワークスペース２０上に表示され、各アイコンの表示位置で当該ファイルが管理される。一般に、ワークスペース２０を利用してファイル管理を行う場合、仕様書なら仕様書、あるいはプロジェクト単位などという意味毎にまとめて各ファイルのアイコンをワークスペース２０上に配置する。このように、ファイルは、ワークスペース２０における位置と意味とが対応付けられてグループ管理される。図２には、ワークスペース２０にグループＡ〜Ｇが形成されている。
【００２１】
本実施の形態では、ファイル管理装置をスマートフォンなどの携帯端末１０で実現することを想定している。スマートフォンなどの携帯端末１０は、一般に画面サイズが小さく、ワークスペース２０の大きさに対して表示範囲が相対的に小さい。従って、ワークスペース２０全体を画面表示することはできない。ワークスペース２０全体というよりむしろ、ワークスペース２０上のアイコンをグループ化して形成された一グループ程度の範囲でしか表示できない。図２には、グループＡ〜ＧのうちグループＡのみが表示されている例が示されている。携帯端末１０は、基本的に指先やタッチペン等の操作手段を使ってユーザに操作させるユーザインタフェースを有する。本実施の形態では、指先で操作する場合を例にして説明する。
【００２２】
図３は、本実施の形態における携帯端末１０を形成するコンピュータのハードウェア構成図である。本実施の形態において携帯端末１０を形成するサーバコンピュータは、従前から存在する汎用的なハードウェア構成で実現できる。すなわち、コンピュータは、図３に示したようにＣＰＵ１、ＲＯＭ２、ＲＡＭ３、ハードディスクドライブ（ＨＤＤ）４、ユーザにより入力操作され、また情報の表示を行うユーザインタフェースである操作パネル５、通信手段として設けられたネットワークインタフェース（ＩＦ）６を内部バス７に接続して構成される。
【００２３】
図１に戻り、本実施の形態における携帯端末１０は、操作検出部１１、移動先特定部１２、表示制御部１３、ファイル管理部１４、グループ管理部１５、制御部１６、ファイル管理情報記憶部１７及びグループ管理情報記憶部１８を有している。操作検出部１１は、ドラッグ＆ドロップ操作、スワイプ操作、フリック操作等操作パネル５に対するユーザ操作を検出する。操作検出部１１はまた、スワイプ操作等ユーザ操作が指先を移動させる操作をした場合、その指先の移動方向、移動速度、移動加速度を含む移動操作に関する情報を求める。移動先特定部１２は、特定手段として設けられ、携帯端末１０の画面（操作パネル５）に表示されたワークスペース２０上のアイコンに対するユーザによる操作が当該アイコンを移動させる操作であった場合、当該アイコンに対する移動操作方向に応じて当該アイコンに対応するファイルの移動先とするグループを特定する。
【００２４】
表示制御部１３は、操作パネル５への表示の制御を行う。特に、本実施の形態における表示制御部１３は、ユーザによる当該アイコンに対する移動操作後、所定の移動確定操作前に、移動先特定部１２により特定されたグループに属するファイルに対応するアイコンを操作パネル５に表示するよう表示制御を行う。また、移動先特定部１２により特定されたグループに属するファイルに対応するアイコンを操作パネル５に表示させた後、所定のキャンセル操作（移動中止操作）に応じて操作パネル５の表示を元に戻すよう表示制御を行う。
【００２５】
本実施の形態における携帯端末１０は、前述したようにファイルをワークスペース２０を用いてグループ管理するが、ファイル管理部１４は、ファイル管理情報記憶部１７を利用してワークスペース２０上におけるファイルの位置等ワークスペース２０を用いて管理されるファイルを管理する。また、グループ管理部１５は、グループ管理情報記憶部１８を利用してファイルのグループ管理を行う。制御部１６は、前述した各構成要素１１〜１５と連携動作し、携帯端末１０におけるファイル管理処理全体の制御を行う。
【００２６】
図４は、本実施の形態におけるファイル管理情報記憶部１７に記憶されるファイル管理情報のデータ構成例を示す図である。本実施の形態におけるファイル管理情報は、ファイル毎に、当該ファイルを識別するファイルＩＤに対応させて、当該ファイルのアイコンのワークスペース２０上における位置を特定する位置情報と、文書、画像等のファイル種別や文書の場合は仕様書等の文書種別等当該ファイルの属性情報とが設定される。なお、その他の情報も含めてよいが、本実施の形態の説明に用いないので説明を省略する。位置情報には、例えばワークスペース２０を、その左上角を原点（０，０）とするなどの２次元のＸＹ座標で表した場合、アイコンの中心座標を設定してもよい。
【００２７】
図５は、本実施の形態におけるグループ管理情報記憶部１８に記憶されるグループ管理情報のデータ構成例を示す図である。本実施の形態におけるグループ管理情報は、グループ毎に、当該グループを識別するグループＩＤに対応させて、当該グループのワークスペース２０上における位置を特定するグループ位置情報と、当該グループに属するファイルのファイルＩＤとが設定される。なお、その他の情報も含めてよいが、本実施の形態の説明に用いないので説明を省略する。グループ位置情報には、例えばワークスペース２０を、その左上角を原点（０，０）とするなどの２次元のＸＹ座標で表した場合、当該グループに属するファイルのアイコン群の中心座標を設定してもよい。
【００２８】
携帯端末１０における各構成要素１１〜１６は、携帯端末１０に搭載されたコンピュータと、コンピュータに搭載されたＣＰＵ１で動作するプログラムとの協調動作により実現される。また、各記憶部１７，１８は、携帯端末１０に搭載されたＨＤＤ４にて実現される。あるいは、ＲＡＭ３又は外部にある記憶手段をネットワーク経由で利用してもよい。
【００２９】
また、本実施の形態で用いるプログラムは、通信手段により提供することはもちろん、ＣＤ−ＲＯＭやＤＶＤ−ＲＯＭ等のコンピュータ読み取り可能な記録媒体に格納して直接又は間接的に提供することも可能である。通信手段や記録媒体から提供されたプログラムはコンピュータにインストールされ、コンピュータのＣＰＵがプログラムを順次実行することで各種処理が実現される。
【００３０】
次に、本実施の形態においてあるグループに属するファイルを他のグループに移動させる場合の処理について図７に示したフローチャートを用いて説明する。なお、ワークスペース２０上に表示されるのは、アイコンであって当該アイコンに対応するファイルや当該ファイルが属しているグループではない。また、グループに属しているのは、ファイルであって当該ファイルのアイコンではない。ただ、説明の便宜上、ワークスペース２０上に表示されるのは、（表示されているアイコンに対応する）ファイルや（表示されているアイコンに対応するファイルが属している）グループ、つまりファイルが表示されている、あるいはグループが表示されているなどのような表現にて記載する場合もある。例えば、グループＡが表示されているという記載は、厳密にはグループＡに属するファイルを特定するアイコンが表示されていると記載したことに等しい。また、ファイルＢが表示されているという記載は、厳密にはファイルＢを特定するアイコンが表示されていると記載したことに等しい。
【００３１】
携帯端末１０には、表示制御部１３による表示制御により、図２に例示したようにグループＡが表示されているとする（ステップ１０１）。ユーザは、この表示されているアイコンの中から、図６に示したように他のグループに移動させたい１つのファイルのアイコン４１を指先で触れることで移動対象を特定する。これは、ワークスペース２０のうち画面表示されている範囲を特定する座標情報と表示範囲内における各アイコンの座標情報（位置情報）と、指先の位置を特定する座標情報とを比較することで特定しうる。なお、これは、従前の技術を用いて特定すればよい。また、特定されたアイコン４１が視認しやすいように、色、輝度、濃度等選択されたアイコン４１の表示形態を選択されていない他のアイコンと異ならせるように表示してもよい。
【００３２】
そして、ユーザが指先が画面に触れた状態のまま移動させたいグループが存在する方向（矢印Ｐ方向）にアイコン４１を移動させる操作をしたとする。操作検出部１１は、指先を移動させたことを検出することで、ユーザによる操作は、スワイプ操作（ドラッグ操作）であることを認識する（ステップ１０２）。ユーザがスワイプ操作をしたということで、制御部１６がユーザにより移動操作がされたと認識すると、移動先特定部１２を起動して、移動操作の内容から移動先とするグループを特定させる。
【００３３】
移動先特定部１２は、起動されると、操作検出部１１からアイコン４１（指先）の移動方向、移動速度、移動加速度を含む移動操作に関する情報を取得する。そして、移動先特定部１２は、まずアイコンの位置情報から特定されるワークスペース２０上における座標位置から延びる移動方向線上（矢印Ｐ方向線上）に、グループ管理情報に登録されている各グループのグループ位置情報により特定される位置座標が存在するか確認し、存在する場合はそのグループを移動先のグループとして特定する（ステップ１０３）。なお、移動方向線上にグループの位置を示す座標（中心座標）が存在する可能性は、現実には高くないと考えられるので、移動方向線上を中心として上下に一定の幅を持たせたり、あるいはアイコン４１から扇状の幅を持たせたりするなど、グループを探索するために幅を持たせてグループがおおよそ移動方向に存在するかを確認するのが好ましい。
【００３４】
ところで、図２に例示した各グループの位置関係によると、グループＡに属するファイルのアイコンを右方向に移動させた場合、グループＢとグループＣが移動先候補となる。つまり、移動先とするグループを１つに特定できない場合があり得る。そこで、本実施の形態では、移動方向のみならず、ユーザ操作の内容から得られた移動速度又は移動加速度という他の検出値を用いて移動先を特定するようにした。すなわち、移動先特定部１２は、操作検出部１１により検出された指先の移動速度を、予め設定した閾値と比較し、移動速度がその閾値未満の場合は、近い位置にあるグループＢへの移動操作と判定し、一方、移動速度がその閾値以上の場合は、遠い位置にあるグループＣへの移動操作と判定する。つまり、ユーザがアイコン４１を相対的に遅く動かした場合、ゆっくり動かしたのだから、ユーザは近い位置にあるグループに移動させようとしていると推測する。一方、ユーザがアイコン４１を相対的に速く動かした場合、速く動かしたのだから、ユーザはより遠い位置にあるグループに移動させようとしていると推測する。なお、この例では、２つのグループＢ，Ｃが移動先候補として選択されたので、移動速度を１つの閾値と比較したが、移動先候補として選択されたグループの数がｎの場合、用意しておく閾値の数ｍは、（ｎ―１）個となる。ここでは、移動速度を例にして説明したが、移動加速度でも同様に、閾値との比較により移動先候補の中から１つの移動先を選出するようにする。なお、移動速度や移動加速度ではなく指先の移動距離に応じて移動先を特定するようにしてもよい。あるいは、移動速度、移動加速度又は移動距離のうち少なくとも２つを組み合わせて所定の計算式にて閾値と比較する値を算出するようにしてもよい。
【００３５】
このように、移動先特定部１２は、アイコンに対する移動操作方向に移動先の候補となるグループが複数存在する場合、移動操作の強さ、すなわち移動速度や緯度加速度に応じてグループを特定するようにしてもよい。
【００３６】
ユーザによるアイコンに対する移動操作に応じて移動先特定部１２によりファイルの移動先となるグループが特定されると、表示制御部１３は、所定の移動確定操作前に、移動先となるグループを含むワークスペース２０上における矩形領域を操作パネル５に表示する（ステップ１０４）。表示を切り替えてもよいが、ここでは、所定の移動確定操作の前なので表示を切り替えずに、例えば、現在の表示内容（グループＡの表示）にオーバーラップして移動先のグループ（例えば、グループＢ）を表示するようにしてもよい。あるいは、一画面を主画面と副画面とに分割して、移動先のグループを副画面に表示するようにしてもよい。物理的に複数の画面を有している携帯端末１０であれば、移動先のグループをそのうちの１つの画面に表示するようにしてもよい。
【００３７】
ユーザは、移動先候補が操作パネル５に表示されると、選択したファイルを移動させるかさせないかを操作にて確定する。移動させる場合、ユーザは、移動対象のファイルのアイコンを、表示されている移動先のグループ上で、指先を操作パネル５から離すドロップ操作という所定の移動確定操作を行う。操作検出部１１がユーザによるドロップ操作を検出すると（ステップ１０５で“確定”）、表示制御部１３は、移動先となるグループを含むワークスペース２０上における矩形領域で操作パネル５の表示内容を更新する。この更新により表示されたグループ（例えば、グループＢ）の中には、移動対象のファイルのアイコンが含まれている（ステップ１０６）。
【００３８】
一方、ユーザが移動させたいために所定のキャンセル操作を行ったとする。操作検出部１１がユーザによるキャンセル操作を検出すると（ステップ１０５で“キャンセル”）、表示制御部１３は、グループの表示を元の状態（グループＡの表示）に戻す（ステップ１０７）。
【００３９】
所定のキャンセル操作としては、例えば、他の指先で操作パネル５に触れるマルチタッチ操作や、アイコンを画面の外にはじき出すようなフリック操作など、所定の移動確定操作以外の操作であればよい。
【００４０】
ファイルの移動が確定すると、そのファイルの移動をデータベースにも反映させる必要があるためファイル管理情報及びグループ管理情報の更新を行う（ステップ１０８）。すなわち、ファイル管理部１４は、移動したファイルの位置情報を移動した位置の座標値で更新する。なお、本実施の形態では、移動させたアイコンの位置を移動先のグループ内で自動的に割り当てるので、グループ内で位置を変更したい場合には、そのグループ内でドラッグ＆ドロップ操作を行えばよい。また、グループ管理部１５は、移動したファイルが新たに属することになったグループのメンバ情報に、当該ファイルのファイルＩＤを追加する。そして、追加したファイルの位置情報を含めてグループ位置情報を再計算し、その結果でグループ管理情報記憶部１８を更新する。
【００４１】
なお、ステップ１０３において、移動先特定部１２がユーザによる移動操作を分析した結果、複数の移動先候補が存在する場合、上記説明では、ファイルの移動先となるグループを１つ選出するようにした。ただ、必ずしも選出しないようにしてもよい。ステップ１０４において、表示制御部１３は、上記説明では、移動先となるグループを操作パネル５にオーバーラップ等により表示することになる。ただ、ファイルの移動先の候補として複数のグループが選出された場合、表示制御部１３は、移動先候補とするグループを含む領域を一定時間毎に順次切り替えながら表示するようにしてもよい。この場合、ユーザは、所望のグループが表示されているときに前述した移動確定操作をすればよい。これにより、当該ファイルを表示されたグループに移動させる。移動先候補の表示順序は、移動方向線上との距離、移動速度（移動加速度）と閾値との差などの合致度、あるいは移動対象のファイルと移動先候補の各グループの意味などの属性の一致度等によって決めるようにしてもよい。
【００４２】
実施の形態２．
図８に例示したように、ファイルは、階層化された複数のグループに分類されて管理される場合がある。この場合において、ユーザが図９に例示したようにグループＥに属するファイルｊを矢印Ｐ方向に移動するスワイプ操作をした場合、ワークスペース２０上のその移動操作方向にグループＢのみが存在しているとすると、その移動先はグループＢと特定できる。ただ、ファイルｊの移動先は、グループＢにおけるグループＦなのか、グループＧなのか、あるいはグループＦにもグループＧにも属さないグループＢなのかは特定できない。
【００４３】
そこで、本実施の形態においては、移動操作の程度に応じて移動先となるグループを特定することを特徴とする。本実施の形態においては、移動操作の程度を示す指標として移動速度、移動加速度、移動距離を用いている。
【００４４】
本実施の形態における携帯端末１０のブロック構成、ハードウェア構成、処理手順は実施の形態１と同じでよい。本実施の形態は、処理手順における移動先特定部１２の処理（ステップ１０３）が実施の形態１と異なる。
【００４５】
例えば、図９においてファイルｊのアイコン４１を矢印Ｐ方向にユーザがスワイプ操作すると、移動先特定部１２は、アイコンの位置から延びる移動方向線上（矢印Ｐ方向線上）に位置するグループを移動先のグループとして特定する。その特定したグループが図８，９において例示したグループＢのように、下位層に複数のグループＦ，Ｇを有している場合、移動先特定部１２は、操作検出部１１からアイコン４１（指先）の移動距離、移動速度（又は移動加速度）から次のようにして移動先とする下位層のグループＦ，Ｇを特定する。
【００４６】
例えば、移動先特定部１２は、操作検出部１１により検出された指先の移動距離が相対的に短い場合、下位層のグループＦ又はＧを移動先として選出する。一方、移動先特定部１２は、移動距離が相対的に長い場合、その上位層のグループＢを移動先として選出する。また、移動距離が相対的に短い場合には、移動先特定部１２は、更に移動速度を参照し、移動速度が相対的に遅い場合、グループＧよりアイコン４１に近いグループＦを移動先として特定する。一方、移動速度が相対的に速い場合、移動先特定部１２は、アイコン４１からグループＦより遠いグループＧを移動先として特定する。なお、相対的な比較は、実施の形態１と同様、予め設定された閾値との比較により行う。また、移動速度の代わりに移動加速度又は移動速度と移動加速度とを組み合わせて用いてもよい。
【００４７】
このように、本実施の形態によれば、移動操作の程度に応じて移動先とするグループ、特に上位層のグループか、あるいは下位層のグループかを特定する。なお、この例では、グループＢとグループＦ，Ｇという２階層の関係を例にしたので、移動距離を１つの閾値と比較するが、移動先候補として選択されたグループの階層数がｎの場合、用意しておく閾値の数ｍは、（ｎ―１）個となる。
【００４８】
なお、上記各実施の形態においては、携帯端末１０に対する操作部位として指先を用いたが、タッチペン等の器具を用いてもよい。
【００４９】
また、上記各実施の形態においては、ファイルを特定するファイル特定情報としてアイコンを例にして説明したが、サムネイル画像のような縮小画像でもよい。
【００５０】
また、画面サイズの小さい携帯端末１０の場合は、ワークスペース２０のうち一グループ程度の範囲しか画面に表示できないので、操作性を向上させるという効果は顕著であるが、例えば、汎用的なパーソナルコンピュータ（ＰＣ）であってもディスプレイの大きさ（表示範囲）とワークスペース２０の大きさとの関係からワークスペース２０全体が表示されない場合もあるので、ＰＣ等ワークスペースを用いてファイルの管理を行う情報処理装置であれば、上記各実施の形態を適用してもよい。
【符号の説明】
【００５１】
１  ＣＰＵ、２  ＲＯＭ、３  ＲＡＭ、４  ハードディスクドライブ（ＨＤＤ）、５  操作パネル、６  ネットワークインタフェース（Ｉ／Ｆ）、７  内部バス、１０  携帯端末、１１  操作検出部、１２  移動先特定部、１３  表示制御部、１４  ファイル管理部、１５  グループ管理部、１６  制御部、１７  ファイル管理情報記憶部、１８  グループ管理情報記憶部。
【図１】
2015087976.tif 000003
【図２】
2015087976.tif 000004
【図３】
2015087976.tif 000005
【図４】
2015087976.tif 000006
【図５】
2015087976.tif 000007
【図６】
2015087976.tif 000008
【図７】
2015087976.tif 000009
【図８】
2015087976.tif 000010
【図９】
2015087976.tif 000011